(57)【要約】【課題】  安全なカッターを提供することである。【解決手段】  約９０度の角度をもって隣接する２つのガイド面１６、１８によって形成されたＬ型ガイド溝１４と、ガイド溝１４の底部に沿って形成されたスロット２０と、スロット２０に沿って伸びると共に上２つのガイド面１６，１８とそれぞれ所定の角度をなす平面２６に沿ってスロット２０から突出し、平面２６上においてスロット２０と鈍角を形成する刃先を備えると刃２２とともに、刃２２と平行に且つスロット２０から進退自在に設けられ、スロット２０の外側に突出すると共に刃先を越えて突出した第１の位置と、スロット２０の内側に退避した第２の位置との間を移動する保護部材を備える。【選択図】図１
2005096054.tif 000002
【特許請求の範囲】
【請求項１】
約９０度の角度をもって隣接する２つのガイド面によって形成されたＬ型ガイド溝と、
上記ガイド溝の底部に沿って形成されたスロットと、
上記スロットから突出し、上記スロットと鈍角を形成する刃先を備えた刃とを備えたカッター。
【請求項２】
上記刃と平行に且つ上記スロットから進退自在に設けられ、上記スロットの外側に突出すると共に上記刃先を越えて突出した第１の位置と、上記スロットの内側に退避した第２の位置との間を移動する保護部材を備えたことを特徴とする請求項１に記載のカッター。
【請求項３】
上記ガイド溝が、上記刃および上記保護部材が上記溝の底部から突出していない部分を有することを特徴とする請求項２に記載のカッター。
【請求項４】
上記保護部材を第１の位置に保持する保持部を備えたことを特徴とする請求項２または３のいずれか一に記載のカッター。
【請求項５】
上記保護部材を第２の位置から第１の位置に付勢する付勢部を備えたことを特徴とする請求項２〜４のいずれか一に記載のカッター。
【請求項６】
上記刃先が所定の方向に向けて直線状に伸びており、
上記刃は上記所定の方向に移動自在に且つ任意の位置で固定可能に設けられていることを特徴とする請求項１〜５のいずれか一に記載のカッター。
【発明の詳細な説明】
【技術分野】
【０００１】
本発明はカッターに関する。特に、本発明は、段ボール箱などの角部に沿って該段ボール箱を切断するために好適に用いられるカッターに関する。
【背景技術】
【０００２】
従来、段ボール箱などの角部を切断するためのカッターが特許文献１で提案されている。このカッターは、段ボール箱の角部に対応するＬ型溝と、このＬ型溝を形成している２つの直交面の間に橋渡しされた刃を備えている。
【特許文献１】特開平１０−１１８９７８号公報
【発明の開示】
【発明が解決しようとする課題】
【０００３】
しかしながら、この特許文献に開示されたカッターは、刃先が露出しており、安全性の点で問題があった。
【０００４】
そこで、本発明は安全なカッターであって、特に段ボール箱をその角部に沿って切断可能な安全なカッターを提供することを目的とする。
【課題を解決するための手段】
【０００５】
この目的を達成するために、本発明に係るカッターは、約９０度の角度をもって隣接する２つのガイド面によって形成されたＬ型ガイド溝と、上記ガイド溝の底部に沿って形成されたスロットと、上記スロットから突出し、上記スロットと鈍角を形成する刃先を備える刃を備える。
【０００６】
また、上記カッターは、上記刃と平行に且つ上記スロットから進退自在に設けられ、上記スロットの外側に突出すると共に上記刃先を越えて突出した第１の位置と、上記スロットの内側に退避した第２の位置との間を移動する保護部材を備えるのが好ましい。
【０００７】
上記ガイド溝は、上記刃および上記保護部材が上記溝の底部から突出していない部分を有するのが好ましい
【０００８】
さらに、上記カッターは、上記保護部材を第１の位置に保持する保持部を備えるのが好ましい。
【０００９】
加えて、上記カッターは、上記保護部材を第２の位置から第１の位置に付勢する付勢部を備えるのが好ましい。
【００１０】
上記刃は、上記刃先が所定の方向に向けて直線状に伸びており、上記所定の方向に移動自在に且つ任意の位置で固定可能に設けられているのが好ましい。
【発明の効果】
【００１１】
本発明によれば、安全なカッターが提供でき、特に段ボール箱をその角部に沿って切断可能な安全なカッターが提供される。
【発明を実施するための最良の形態】
【００１２】
図１〜図３を参照すると、本発明に係るカッター１０は、長方形の本体１２を有する。本体１２は、その長手方向の一面（図１の上面）にＬ型ガイド溝１４を有する。ガイド溝１４は、９０度又は約９０度の角度をもって隣接する２つのガイド面１６，１８によって形成されている。また、ガイド溝１４の底部（すなわち、２つのガイド面１６、１８が交わる領域）には、ガイド溝１４の長手方向に沿って伸びるスロット２０が形成されており、このスロット２０からガイド溝１４に刃２２と安全保護部材２４が並んで突出している。
【００１３】
本実施の形態において、本体１２は、２つのガイド面１６、１８が交差する線を含み且つこれらガイド面１６、１８に対してそれぞれ約４５度の角度をもって交差する平面２６によって２つの本体部材２８、３０に分割されており、ボルト３２、３４によって分離可能に連結されている。図４に示すように、刃２２に隣接する一方の本体部材２８には、他方の本体部材３０に対向する面３６に、点線で輪郭を示す刃収容凹部３８が形成されている。この刃収容凹部３８の深さは、刃２２の厚みにほぼ等しい。本実施形態では、図５に示すように、刃２２には長方形の帯状刃が使用されており、長手方向に伸びる一方の縁に刃先４０が形成されている。このような形の刃２２に対応して、刃収容凹部３８の底部４２（図４に点線で斜めに描かれた部分）は、一端側（左側）が深く、他端側（右側）が浅く形成されており、刃先４０の反対側にある長手方向縁部を底部４２に沿わせて刃２２を移動することにより、スロット２０からガイド溝１４への突出量（突出長）が調整できるようにしてある。また、図６に示すように、スロット２０から突出した刃２２の刃先４０は、その前方において、スロット２０との間に鈍角θ（実施の形態ではθ＝約１６５度）を形成している。
【００１４】
本体部材２８に対して刃２２を固定すると共に刃２２の突出量を任意に調整できるように、刃２２の基端側（突出端の反対側）には孔４４が形成されている。一方、本体部材２８には、図２と図３に示すように、そのガイド面１８にスロット２０に平行な長溝４６が形成されている。また、本体部材２８には、図３と図４に点線で示すように刃収容凹部３８の底部４２と平行な方向に伸びると共に長溝４６に到達する細長い案内溝４８が形成されている。そして、刃２２の孔４４を介して案内溝４８から長溝４６にボルト５０が挿入され、このボルト５０の先端には長溝４６に収容したナット５２が螺合されている。したがって、ボルト５０を緩めることにより、刃２２の突出量を任意に調整して固定することができる。刃２２の突出量が調整できるため、例えば、刃こぼれした場合に刃先を折って新たな刃先を得ることができる公知のカッター刃（オルファ株式会社製カッター用替刃）を使用してもよく、刃先を折ることで刃の全長が短くなった場合、上記のように、ボルト５０の固定位置を変更することで刃の突出量を適宜調整する。また、円周に刃を有する円形刃も使用でき、その刃先の切れ味が低下した場合、ボルト５０を緩めて新しい刃の部分に円形刃を回転させることができる。
【００１５】
図４に示すように、刃収容凹部３８は、板状スペーサ５４によって覆われている。このスペーサ５４は、複数のボルト５６によって本体部材２８に固定されている。また、スペーサ５４には、案内溝４８と平行に伸びると共に案内溝４８を囲う細長い開口部５８が形成されており、この開口部５８を介してドライバ（図示せず）がボルト５０にアクセスできるようにしてある。加えて、本体部材３０には、本体部材２８、３０が組まれた状態であるとき、ボルト５０にアクセスできるように開口部５８と平行な長孔状の刃先調整孔５９を有する。さらに、本体部材３０の刃先調整孔５９とスペーサ５４の開口部５８の間に位置する安全保護部材２４の部分にも、これらと平行な長孔６０が設けられている。
【００１６】
図７に示すように、安全保護部材２４に隣接する他方の本体部材３０には、上述した一方の本体部材２８に対向する面６１に、スロット２０に連通する保護部材収容凹部６２が形成されており、この保護部材収容凹部６２に安全保護部材２４が収容されている。図示するように、安全保護部材２４は、プラスチック又は金属からなる板状の部材からなり、刃２２の基端側に対応する一端側（図７の右側）において、ボルト６４を介して本体部材３０に回転自在に支持され、ばね６６によって図の時計回り方向に付勢されている。一方、安全保護部材２４の他端側下端部には前方に突出する突起部６８が形成されるとともに、本体部材３０には突起部６８が係合可能なストッパ７０が形成されており、これに安全保護部材２４の突起部６８が押し当たる。
【００１７】
安全保護部材２４は、カッター１０の非使用時にスロット２０から突出した刃２２に物や人が触れないようにするものである。その目的から、図１と図２に示すように、安全保護部材２４の大きさと形状は、突起部６８がストッパ７０に係合した状態（第１の位置）で、刃２２が如何なる位置に固定されていても、長手方向の上端縁が刃先４０の外側に位置するように決められている。また、安全保護部材２４は、カッター１０の使用時にガイド溝１４から後退してスロット２０の内側に収まる必要がある。そのため、本体部材３０に形成されている保護部材収容凹部６２の大きさ（広さ）は、安全保護部材２４が完全にスロット２０に収まる位置（図７に一点鎖線で示す位置。この位置を「第２の位置」という。）まで後退できるように決められている。
【００１８】
カッター１０の非使用時、安全保護部材２４は、第１の位置に保持できるように構成することが好ましい。そのため、本体１２と安全保護部材２４にはロック機構が設けてある。図８及び図９に示すように、このロック機構８０は、ロックピン８２を有する。図１０に示すように、ロックピン８２は軸部８４を有し、この軸部８４の一端側に円柱状の頭部８６を有する。頭部８６の基端には、頭部８６よりも大径のフランジ８８が形成されている。一方、軸部８４の他端側には、軸部８４よりも大径の円筒部９０と、円筒部９０の軸部側角部を面取りした逆テーパ部９２が形成されている。一方、安全保護部材２４を支持している本体部材３０には、横方向に貫通するピン貫通孔９４が形成されている。ピン貫通孔９４は、ロックピン８２のフランジ部８８よりも僅かに大径の部分（大径部分）９６と、この部分９６の外側にあって頭部８６よりも僅かに大径の部分（小径部分）９８とを有し、これら２つの部分の間に規制段部１００が形成されている。また、刃２２を支持している本体部材２８には、ピン貫通孔９４と同軸上に、円筒部９０よりも僅かに大径の円形凹部１０２が形成されている。そして、本体部材３０に形成された段部１００から円形凹部１０２の底部までの距離は、フランジ８８の頭部側端面と円筒部９０の端面との間の距離よりも長くしてある。また、本体部材３０に形成された段部１００からこれに対向する他方の本体部材２８の面３６までの距離は、フランジ８８の頭部側端面から円筒部９０のテーパ部側端部までの距離よりも長くしてある。
【００１９】
このような本体部材の構成に対し、ロックピン８２は、一方の本体部材２８の円形凹部１０２に円筒部９０を挿入し、他方の本体部材３０のピン貫通孔９４にフランジ部８８を挿入して配置される。また、円筒部９０の内側にはばね１０４が配置される。したがって、図８に示すように、ばね１０４に付勢されたロックピン８２は、そのフランジ８８が段部１００に当接して位置決めされている。このとき、ロックピン８２のテーパ部９２と円筒部９０はスロット２０の内部に突出している。また、図９に示すように、ばね１０４の付勢力１０６に対向してピン貫通孔９４に露出した頭部８６を押すと、ロックピン８２のテーパ部９２と円筒部９０はほぼスロット２０から退避する。
【００２０】
一方、安全保護部材２４には、図７に示すように、この安全保護部材２４を第１の位置から第２の位置との間で移動したときにロックピン８２の軸部８４と干渉する領域には、軸部８４の外径よりも僅かに大きな幅のスロット状の切欠１０８が形成されている。したがって、図８に示すように安全保護部材２４が第１の位置にあるとき、ロックピン８２の円筒部９０がスロット２０に突出して安全保護部材２４の下端に係合し、安全保護部材２４を第１の位置にロックする。この状態からばね１０４の付勢力に対抗してロックピン８２の頭部８６を押すと、ロックピン８２は図９に示す位置に移動し、円筒部９０がスロット２０から退避する。そして、図９に示すように、円筒部９０がスロット２０から退避している状態で、安全保護部材２４は第２の位置に移動できるようになる。その状態でロックピン８２を開放すると、保護部材２４は、ロックピン８２のテーパ部９２が安全保護部材２４に当接して持ち上げられると共に、ばね６６の付勢力によって第１の位置に戻される。
【００２１】
また、カッタ１０のガイド溝１４は、刃２２と安全保護部材２４が溝の底部から突出しない部分１０９を有するのが好ましい（図４参照。）。この部分１０９は、例えば、ダンボール箱の角部の稜線を切断する際に、ダンボール箱の角部と係合してダンボール箱とカッタ１０を位置決めする位置決め部１０９として機能する。
【００２２】
このように構成されたカッター１０を用いて段ボール箱１１０の角部１１２をその稜線に沿って切断する場合、ガイド溝１４の位置決め部１０９を段ボール１１０の角部１１２に押し当て、カッター１０のガイド溝１４と段ボール箱１１０の角部１１２を位置決めする。続いて、ロックピン８２を押し続けた状態で，カッター１０を角部１１２に沿って切断方向に移動させる。その結果、段ボール箱１１０から受ける抵抗によって、安全保護部材２４は第１の位置から第２の位置に移動し、それにより、刃２２が段ボール箱１１０の角部１１２の稜線を切断し始める。最終的に、図１１に示すように、刃２２の動きに応じて段ボール箱１１０の角部１１２がその稜線に沿って切断される。切断終了後、カッター１０を段ボール箱１１０から離せば、安全保護部材２４はばね６６の付勢力によって第２の位置から第１の位置に自動的に復帰するため、作業者が刃２２の刃先に触れる危険がない。
【図面の簡単な説明】
【００２３】
【図１】本発明に係るカッター１０の斜視図である。
【図２】図１とは異なる視点のカッター１０の斜視図である。
【図３】カッター１０の正面図である。
【図４】本体部材２８の面３６を示す図である。
【図５】本発明に使用される刃２２を示す図である。
【図６】刃２２と安全保護部材２４の位置関係を示す図である。
【図７】本体部材３０の面６１を示す図である。
【図８】保護部材２４が第１の位置に配置されている状態の図３のＡ−Ａ線で示される断面図である。
【図９】保護部材２４が第２の位置に配置されている状態の図３のＡ−Ａ線で示される断面図である。
【図１０】ロックピン８２を示す図である。
【図１１】ダンボール箱１１０を切断しているカッター１０を示す図である。
【符号の説明】
【００２４】
１０  カッター、  １２  本体、  １４  ガイド溝、  １６  ガイド面、  １８  ガイド面、  ２０  スロット、  ２２  刃、  ２４  安全保護部材、  ２６  平面、  ２８  本体部材、  ３０  本体部材、  ３２  ボルト、  ３４  ボルト、  ３６  面、  ３８  凹部、  ４０  刃先、  ４２  底部、  ４４  孔、  ４６  長溝、  ４８  案内溝、  ５０  ボルト、  ５２  ナット、  ５４  スペーサ、  ５６  ボルト、  ５８  開口部、  ５９  刃先調整孔、  ６０  長孔、  ６１  面、  ６２  凹部、  ６４  ボルト、  ６６  ばね、  ６８  突起部、  ７０  ストッパ、  ８０  ロック機構、  ８２  ロックピン、  ８４  軸部、  ８６  頭部、  ８８  フランジ、  ９０  円筒部、  ９２  テーパ部、  ９４  貫通孔、  ９６  大径部分、  ９８  小径部分、  １００  規制段部、  １０２  凹部、  １０４  ばね、  １０６  付勢力、  １０８  切り欠き、  １０９  位置決め部、  １１０  段ボール箱、  １１２  角部
【図１】
2005096054.tif 000003
【図２】
2005096054.tif 000004
【図３】
2005096054.tif 000005
【図４】
2005096054.tif 000006
【図５】
2005096054.tif 000007
【図６】
2005096054.tif 000008
【図７】
2005096054.tif 000009
【図８】
2005096054.tif 000010
【図９】
2005096054.tif 000011
【図１０】
2005096054.tif 000012
【図１１】
2005096054.tif 000013